(57)【要約】      （修正有）【課題】感染性物質の輸送に使用する二次包装用の包装袋において、感染症法などで規定する基準の内圧が９５ｋＰａ以上の圧力になっても出し入れ口が開放しないで安全に輸送に供することができる包装袋を提供することである。【解決手段】二次包装用の包装袋１は、所要厚さで所要大きさ（広さ）の柔軟性とある程度の剛性とを有する２枚の長方形状のプラスチックシートまたはフィルムからなる表面材２と裏面材とからなり、該表面材２と裏面材とにおける袋体としての開口部となる位置に、略同質材料からなる仕切材４、５をそれぞれ一体的に取り付けると共に、該仕切材４、５に柔らかくて薄手の薄膜材６、７を適宜の接着材層（ナイロン）を介して一体的に取り付けられ、該薄膜材６、７の下端部は仕切材４、５から要長さ突出した状態に取り付けられる。なお、裏面材は所要長さの延長部を設けて封緘部３ａとしたものである。【選択図】図１
2016120921.tif 000002
【特許請求の範囲】
【請求項１】
感染性物質を一次包装、二次包装及び三次包装して輸送するための輸送用容器であり、該輸送用容器の内の二次包装用の包装袋として、プラスチックシートまたはフィルムからなる表面材と裏面材とに開口部となる上面側に同質材料からなる所要大きさの仕切材をそれぞれ重ね合わせ、仕切材の上面側となる端縁に沿ってそれぞれ所要幅にヒートシールしてポケット部を形成した表面材及び裏面材とし、該両仕切材を重ね合わせると共に表面材と裏面材とを重ね合わせて、上面の開口部を除き両側面と底面とを一連にヒートシールして袋状に形成した二次包装用の包装袋であって、
前記仕切材の下端側に所要長さ突出する柔軟性の薄膜材を設け、前記裏面材の上部を延長して所要長さの封緘部を設け、
該封緘部に前記開口部が開かないように剥離紙付きの接着手段を設け、
前記包装袋の内圧が上昇したときに前記薄膜材同士が面接触することにより前記仕切材同士の面接触を促進させて、内部の液体が外部に漏洩しない構成にした
を特徴とする二次包装用の包装袋。
【請求項２】
前記仕切材の面接触側に取り付ける薄膜材は、材料同士の馴染性が高い材料で形成されていること
を特徴とする請求項１に記載の二次包装用の包装袋。
【請求項３】
前記仕切材は包装袋における開口部の長さの１／４〜１／２の長さ（幅）にしたこと
を特徴とする請求項１または２に記載の二次包装用の包装袋。
【請求項４】
前記プラスチックシートまたはフィルムは、ナイロンを芯材として両面にポリエチレンを一体的にラミネートした三層構造であること
を特徴とする請求項１乃至３に記載の二次包装用の包装袋。
【発明の詳細な説明】
【技術分野】
【０００１】
本発明は、病原体などの感染性物質（「検体」と称する場合もある）を収納した容器を安全に包装して輸送するための二次包装用の包装袋に関するものである。
【背景技術】
【０００２】
感染性物質を輸送（空輸）する二次包装用の包装袋としては、本発明と同一出願人に係る包装袋の発明が特許として認められて公知になっている。
【０００３】
この公知例の特許発明は、感染性物質を一次包装、二次包装及び三次包装して輸送するための輸送用容器であり、該輸送用容器の内の二次包装用の包装袋であって、該包装袋は、プラスチックシートまたはフィルムからなる表面材と裏面材とを重ねあわせ、上面を開口部として除き両側面と底面とを一連にヒートシールして袋体に形成し、前記開口部となる表面材と裏面材との上面内側にそれぞれプラスチックシートまたはフィルムからなる所要大きさの仕切材を配設して上面及び両側面をヒートシールして表面材と裏面材とに仕切材をそれぞれ取り付けてポケット部を形成し、前記裏面材の上部外側に前記開口部が開かないように接着手段で貼着する封緘材を設け、前記包装袋の内圧が上昇したときに前記仕切材同士の面接触が維持されて前記ポケット部のいずれかでその内圧を受ける構成にしたことを特徴とするものである（特許文献１参照）。
【０００４】
この二次包装用の包装袋は、輸送中において外気温度の影響によって包装袋の内圧が、感染症法などで規定する基準値９５ｋＰａ以上の圧力になっても、その内圧を開口部側に設けたポケット部で受けるので、開口部、即ち、出し入れ口は開放せず、また、包装袋のヒートシール部分が剥れたりしないので、感染性物質を安全に輸送できるというものである。
【０００５】
この公知例に係る特許発明においては、従来から周知の二次包装の容器に係るプラスチック製の袋（パウチ/pouch）は、二枚のプラスチックシートを重合し、上下左右の周縁をヒートシール等により気密に接着して構成され、例えば、一つの面のプラスチックシートの上端部近くに両側面まで至らない範囲で切り込みを設けて出し入れ口を形成し、該出し入れ口の内側にファスナーを取り付けて開閉できるようにし、該ファスナーは樹脂製の凸状の係合片と、凹状の係合片とで構成されている問題点、即ち、一つの面におけるプラスチックシートに両側面にまで至らない範囲で切り込みを設けて出し入れ口を形成し、しかも、その内側に樹脂製ファスナーを取り付けてあるので、出し入れ口が狭くて被包装物を出し入れし難いという取り扱い並びに作業性に支障を来たすという問題点、および実際の使用において、出し入れ口を樹脂製ファスナーの凸状と凹状の係合片による係合力と、片面粘着テープによる接着力とで密閉状態を維持しているが、温度変化によって内部の空気が膨張して内圧が基準の９５ｋＰａ以上の圧力になったときに、その圧力がファスナーを通して粘着テープに直接作用し、また、パウチの膨らみによってプラスチックシートが全体的に伸びるようになり、それらの直接の圧力作用と伸び作用とによって粘着テープが剥がれ、続いてファスナーの係合片が離脱して出し入れ口が開放してしまい、実質的に感染症法などで規定する基準の設定した圧力差に耐えることができなくなるという問題点とを解決したものである。
【先行技術文献】
【特許文献】
【０００６】
【特許文献１】特許第４５９００２４号公報
【発明の開示】
【発明が解決しようとする課題】
【０００７】
前記公知例の特許発明に係る二次包装用の包装袋においては、気体を対象にした試験を行って発明を完成したものであって、医療関係の感染症防止用の二次包装袋であり、一次包装の輸送用容器で液体の内容物が密閉されているため、二次包装袋に大量の液体が入ることはないのである。従って、前記公知の二次包装用の包装袋においては、一次包装の輸送用容器が、特に、液状内容物の場合に、温度変化に耐えられなくなって内容物の一部が漏れたとしても、実際の使用では、漏れた内容物は二次包装用の包装袋内で保持されて外部に漏れないようにはなっている。
【０００８】
ところが、欧米での試験方法では、温度変化を考慮せず、常温で液体（水）をポンプで圧力を上げて包装袋に注入して内圧試験のみを行っているのが現状である。そして、前記公知例の特許発明に係る二次包装用の包装袋に対しても、その試験方法を用いて試験を行っている。その試験方法の場合に、袋体の開口部の両側を摘まんで５０〜１００ｃｍ程度の高さに支持した状態で水を注入すると荷重が掛かり袋の中央部底面が下がると共に、封緘材を閉めていないので、開口部の内側に設けてある逆止弁機能を有する仕切材の中央部も下がる。仕切材同士は、重なり合った（ブロッキングした）状態で内圧が掛かれば漏れないが、変則的な荷重または圧力が掛かると仕切材間に隙間ができ、その状態で袋を落下させると極少量の一部の水が漏洩する。
そのような実験を行う欧米では、前記公知例の特許発明に係る二次包装用の包装袋については、好ましくないという評価がなされて、業界での使用が現実に制限されるという問題点が生じている。
【０００９】
本発明の主たる目的は、感染症法などで規定する基準の内圧が９５ｋＰａ以上の圧力になっても被包装物の出し入れ口が開放しないこと、および欧米式の耐圧実験を行っても、一部少量の液体も漏らさないようにした二次包装用の包装袋を提供することである。
【課題を解決するための手段】
【００１０】
本発明は、前記課題を解決する具体的手段として、感染性物質を一次包装、二次包装及び三次包装して輸送するための輸送用容器であり、該輸送用容器の内の二次包装用の包装袋として、プラスチックシートまたはフィルムからなる表面材と裏面材とに開口部となる上面側に同質材料からなる所要大きさの仕切材をそれぞれ重ね合わせ、仕切材の上面側となる端縁に沿ってそれぞれ所要幅にヒートシールしてポケット部を形成した表面材及び裏面材とし、該両仕切材を重ね合わせると共に表面材と裏面材とを重ね合わせて、上面の開口部を除き両側面と底面とを一連にヒートシールして袋状に形成した二次包装用の包装袋であって、前記仕切材の下端側に所要長さ突出する柔軟性の薄膜材を設け、前記裏面材の上部を延長して所要長さの封緘部を設け、該封緘部に前記開口部が開かないように剥離紙付きの接着手段を設け、前記包装袋の内圧が上昇したときに前記薄膜材同士が面接触することにより前記仕切材同士の面接触を促進させて、内部の液体が外部に漏洩しない構成にしたことを特徴とする二次包装用の包装袋を提供するものである。
【００１１】
本発明において、前記仕切材の面接触側に取り付ける薄膜材は、材料同士の馴染性が高い材料で形成されていること；前記仕切材は包装袋における開口部の長さの１／４〜１／２の長さ（幅）にしたこと；及び、前記プラスチックシートまたはフィルムは、ナイロンを芯材として両面にポリエチレンを一体的にラミネートした三層構造であること；を付加的な要件として含むものである。
【発明の効果】
【００１２】
本発明に係る二次包装用の包装袋によれば、仕切材の下端側に所要長さ突出する柔軟性の薄膜材を設けたことによって、欧米での耐圧試験方法によっても、微少の水滴も漏洩させないと共に、輸送中において外気温度の影響によって包装袋の内圧が、感染症法などで規定する基準値９５ｋＰａ以上の圧力になっても、その内圧を開口部側に設けたポケット部で受けるので、開口部、即ち、出し入れ口は開放せず、また、包装袋のヒートシール部分が剥れたりしないので、感染性物質を安全に輸送できるという優れた効果を奏する。
【００１３】
さらに、包装袋の一側面、即ち、上面に設けた開口部が全面的に開放できるので、感染性物質等の被包装物を出し入れする作業や取り扱いが容易にできるばかりでなく、特に、仕切材４、５のシートまたはフィルム材はヒートシールすることにより一時的に伸び現象を示すが、シール後に収縮して緊張状態になって重ね合わせの密着性が向上するので、ブロッキング作用が向上するという優れた効果も奏する。
【図面の簡単な説明】
【００１４】
【図１】本発明の実施の形態に係る二次包装用の包装袋を示した平面図である。
【図２】同実施の形態に係る包装袋の構成部材である表面材と裏面材とを分離して示した斜視図である。
【図３】同実施の形態に係る包装袋の構造を理解するため表面材と裏面材と分離し且つ要部を拡大して略示的に示した側面図である。
【図４】同実施の形態に係る包装袋に収納する感染性物質の包装形態を略示的に示した説明図である。
【図５】同実施の形態に係る包装袋に、包装した感染性物質を収納する状況を示す要部の斜視図である。
【図６】同実施の形態に係る包装袋に、包装した感染性物質を収納した状態の平面図である。
【図７】図６のＡ−Ａ線に沿う断面図である。
【図８】図７の包装状態において、外気温度により包装袋の内部空気が膨張して内圧が上昇した状態を略示的に示した説明図である。
【図９】本発明に係る二次包装用の包装袋を欧米方式の耐圧試験に供した場合の包装袋の状態を示したものであって、（ａ）は包装袋を吊して水を入れた状態の正面図、（ｂ）はＢ−Ｂ線に沿う断面図である。
【発明を実施するための形態】
【００１５】
本発明を図示の実施の形態に基づいて説明する。まず、図１〜図３において、本発明に係る二次包装用の包装袋１は、所要厚さで所要大きさ（広さ）の柔軟性とある程度の剛性とを有する２枚の長方形状のプラスチックシートまたはフィルムからなる表面材２と裏面材３とからなり、該表面材２と裏面材３とにおける袋体としての開口部となる位置に、略同質材料からなる仕切材４、５をそれぞれ一体的に取り付けると共に、該仕切材４、５に柔らかくて薄手の薄膜材６、７を適宜の接着材層（ナイロン）８、９を介して一体的に取り付けられ、該薄膜材６、７の下端部は仕切材４、５から要長さ突出した状態に取り付けられる。なお、裏面材３は所要長さの延長部を設けて封緘部３ａとしたものである。
【００１６】
この場合の表面材２と裏面材３とに対する仕切材４、５の取り付けに関しては、表面材２に対しては開口部となる上縁部に沿ってヒートシール手段による所要幅のシール部１０により一体的に取り付け、裏面材３に対しては、延長部３ａ（封緘部という）との境目で袋体としての開口部となる位置に、ヒートシール手段による所要幅のシール部１１により一体的に取り付ける。これらシール部１０、１１の幅は、概ね１０〜１２ｍｍ程度である。また、表面材２、裏面材３及び仕切材４、５に使用されるプラスチックシートまたはフィルムの厚さは、概ね１００±２０μｍ程度とし、接着材層８、９は１５±５μｍ、薄膜材６、７の厚みは概ね５０±２０μｍとすると共に、仕切材４、５からの突出長さは概ね２５±１０ｍｍ程度とする。
【００１７】
このように形成された表面材２と裏面材３とを、仕切材４、５側を向かい合わせにし、且つ、仕切材４、５同士を正確に位置合わせして重ね合わせた状態で、両側面と底面との三方の側縁をヒートシール手段によるシール部１２、１３、１４によって袋体に形成したものである。この場合に、表面材２と裏面材３とは、底部となる下端部の位置合わせをすると共に、開口部１８となるシール部１０、１１を位置合わせして正確に重ね合わせて、シール部１２、１３、１４を形成することにより、図１に示した袋体が形成される。
【００１８】
なお、仕切材４、５の下端部側に厚みによる段差部が生じてシールが不十分である自体が生じないようにするために、その段差部付近をさらに強くポイントシール１５、１６する。また、袋体を形成した後に、薄膜材６、７を含む仕切材４、５の袋体内への入り込み長さ（幅）は、袋体の大きさにもよるが、概ね包装袋１の開口部１８における長さの１／４〜１／２の範囲であり、袋体の高さの少なくとも１／３程度に及ぶのである。そして、表面材２と仕切材４との間及び裏面材３と仕切材５との間に、図３に示したように、それぞれポケット部４ａ、５ａが形成される。さらに、前記封緘部３ａの自由端部側に剥離紙を備えた封緘用の接着部１７を設け、包装袋１の内部に被包装物である感染性物質を収納した後に、包装袋１の開口部１８を全面的に覆うように折り畳み、表面材２に接着部１７を貼着させて開口部１８が開かないように押さえるものである。なお、ヒートシールすることによりシートまたはフィルム材は一時的に伸び現象を示すが、特に、仕切材４、５はシール後に縮小して密着性が向上するのである。
【００１９】
本発明に係る二次包装用の包装袋１に収納される感染性物質は、図４に示したように、一次包装された包装物１９として包装袋１に収納される。この一次包装の包装物１９は、例えば、感染性物質を試験管２０等に入れて蓋部材２１により密閉状態にし、クッション性と吸液性とを有する包装材料２２により全体を安全に包装するものであり、従来例とほぼ同じ手段で一次包装される。
【００２０】
このように一次包装された感染性物質の包装物１９は、図５に示したように、包装袋１の開口部１８を開き、該開口部１８から余裕をもって包装物１９を収納すると、図６に示したように、仕切材４、５と薄膜材６、７を通り抜けて包装袋１のほぼ２／３を占める底部側の収納部まで押し込んで位置させ、包装袋１内の空気を或る程度排除した状態にして、封緘部３ａを表面材２側に折り畳み、保護フィルムまたは剥離紙を剥がして接着部１７を表面材２に貼着させ、開口部１８が開かないように抑制または定着させることにより、図７に示したように、二次包装が終了する。そして、二次包装された感染性物質は、従来例と同様に、所要の強度を有する三次包装容器（外装容器）に収容されて輸送されるのである。
【００２１】
そこで、輸送中において外気温度の変化、特に、熱帯地方において外気温度が上昇し、二次包装の包装袋１内の空気が膨張して内圧が感染症法などで規定する基準値９５ｋＰａ以上の圧力になった状況について、図８を参照して説明する。
【００２２】
包装袋１内の空気が膨張した場合には、包装袋１の全体が膨らむのであり、その膨らみによって、シール部１２、１３を形成した側面が全体的に内側に接近する。その接近によって内側に設けられている仕切材４、５と薄膜材６、７は面接触状態（ブロッキング状態）を維持して、表面材２または裏面材３のいずれかに面接触したままの状態で変形する。つまり、仕切材４、５と薄膜材６、７は包装袋１における開口部１８の長さの１／４〜１／２の長さ（幅）程度、即ち、包装袋１の高さのほぼ１／３程度まで至る程度に長くまたは広く形成されているので、両者は常に面接触状態（ブロッキング状態）にあり、内部圧力が上昇することによって両者の面接触の密着状態（密着圧＝ブロッキング圧）が益々上昇するのであり、しかも、図示したように、一方の裏面材３側に強く押し付けられるようになり、両者の密着度が高まるだけであり、封緘部３ａには内部圧力の作用はほとんど掛からないし、出し入れ口、即ち、開口部１８を押し広げるような作用は働かないので開放しないのであり、包装袋１内の上昇した内部圧力は必然的に仕切材４のポケット部４ａで受け止められ、各ヒートシール部の接着力が強いので包装袋１として破裂するする恐れもないのである。
【００２３】
次に、欧米での耐圧試験方法によって、本発明の包装袋１をテストした結果について説明する。
まず、図９（ａ）（ｂ）に示したように、封緘部３ａを施蓋しないで両側面側の上端部をクリップ２３で挟持して吊した包装袋１内に所要量の水２４を入れた場合に、水２４の重量で底部側が膨らんで湾曲し、それに伴って開口部１８及び仕切材４、５も少し湾曲状態に歪むようになり、仕切材４、５と薄膜材６、７の両側面側はシール部１２、１３により接触状態を維持しているが、中央部における下端部が少し開くようになり、柔らかい薄膜材６、７も中央部において略垂直に垂れ下がる。
【００２４】
この状態で、クリップ２３を解除して包装袋１を落下させると、水２４の重量による下方への引張力及び膨らみ（湾曲）が瞬時に解除されるので、開口部１８を含めてシール部１０、１１と仕切材４、５とが瞬時に水平状態に戻り、少し開いていた中央部下端の仕切材４、５同士が、水平状態に戻る方向の慣性により瞬時に近接する方向に作用すると共に、薄膜材６、７も同様に近接する方向に作用して、瞬時に接触する状態になる。
【００２５】
そして、包装袋１が床面に落下した衝撃が水２４を伝って包装袋１の内部に飛散する衝撃が生ずるが、薄膜材６、７同士が既に接触している状態になっているから、飛散する水滴が仕切材４、５の隙間を通って外部に漏れる（飛散する）心配は全くないのである。
従って、欧米での耐圧試験方法に供しても、液体の漏れがなく合格品となるのである。
【００２６】
本発明で使用されるプラスチックシートまたはフィルムについては、株式会社タマポリ社製の「シーラントＰＥフィルム」、品名「ＳＢ−５」、「ＳＢ−７」、「ＳＢ−１０」が好ましい。これらの商品は、ナイロンを芯材として両面にポリエチレンを一体的にラミネートした３層構造であり、厚さが３０〜１５０μｍの範囲まで使用可能であり、伸びが少なく強靭で柔軟性があり低温シール性に優れているのである。また、表面材２と裏面材３に使用されるものは、ＰＥＴ２０／ＮＹ２０／ＬＬＤＰＥ７０が好ましく、仕切材４、５には、ＬＬＤＰＥ３０／ＮＹ２０／ＬＬＤＰＥ７０（長さを変えた３層構造）が使用可能であり、特に、面接触側となるＬＤＰＥ３０にはＥＶＡを３〜１０％の範囲で含有させることにより面接触性がより一層好ましくなった。また、薄膜材６、７として使用されるシートまたはフィルム材料としては、ＬＬＤＰＥに材料同士の馴染性が高い材料であるＥＶＡを３〜１０％の範囲で含有させたものが好ましい。
【００２７】
このように使用材料を選択することによっても、包装袋１としての特性、特に、仕切材４、５を三層構造にしたものであるが、これに限定されず、例えば、二層構造にすることもできるのであり、要するに、複数構造にすること、及び袋体は強靭で伸び率を少なくすること、さらに、ヒートシール強度が高くて剥がれないこと、温度変化によって開口部１８が開かないように閉塞維持機能が高いこと、などである。
【産業上の利用可能性】
【００２８】
本発明に係る二次包装用の包装袋は、感染性物質の輸送に使用する二次包装用の包装袋において、袋体を構成する表面材と裏面材とにより開口部を形成する内側に、それぞれ仕切材を設けると共に、該仕切材の先端側に所要長さ突出する柔軟性の薄膜材を設けてポケット部を形成したことにより、欧米の耐圧試験を完全にクリヤーできるようにすると共に、感染症法などで規定する基準の内圧が９５ｋＰａ以上の圧力になっても出し入れ口が開放しないで安全に輸送に供することができるのであって、世界中で、特に、感染性物質を、温度変化の激しい地域または領域へ航空輸送する際に広く利用できるのである。
【符号の説明】
【００２９】
１  二次包装用の包装袋  
２  表面材
３  裏面材
３ａ  封緘部
４、５  仕切材
４ａ、５ａ  ポケット部
６、７  薄膜材
８、９  接着材層
１０、１１、１２、１３、１４  シール部
１５、１６  スポットシール
１７  剥離紙付き接着手段
１８  開口部（出し入れ口）
１９  包装物
２０  試験管
２１  蓋部材
２２  包装材料
２３  クリップ
２４  水
【図１】
2016120921.tif 000003
【図２】
2016120921.tif 000004
【図３】
2016120921.tif 000005
【図４】
2016120921.tif 000006
【図５】
2016120921.tif 000007
【図６】
2016120921.tif 000008
【図７】
2016120921.tif 000009
【図８】
2016120921.tif 000010
【図９】
2016120921.tif 000011